(57)【要約】【課題】潤滑剤をより確実に保持させることにより、攪拌抵抗を抑制して低トルク化と潤滑剤の長寿命化を図ることができ、また製造コストを低減することができる転がり軸受を提供する。【解決手段】この転がり軸受は、内輪１、外輪３、およびこれら内外輪１，２の軌道面１ａ，２ａ間に介在された複数の転動体３を有する。内輪１の外周面および外輪２の内周面の両方に、複数の短繊維が起立状態で面状に分布して並ぶ植毛部８が設けられる。植毛部８は、この転がり軸受を軸受軸心Ｌ１を含む平面で切断して見た断面において、前記短繊維の先端側から基端側に向かうに従って、前記短繊維が空間に対して占める密度が高くなる。【選択図】図１
2018021632.tif 000002
【特許請求の範囲】
【請求項１】
内輪、外輪、およびこれら内外輪の軌道面間に介在された複数の転動体を有する転がり軸受において、
前記内外輪のいずれか一方または両方における、軸受空間内の摺動面以外の表面部分に、複数の短繊維が起立状態で面状に分布して並ぶ植毛部が設けられ、この植毛部は、前記転がり軸受を軸受軸心を含む平面で切断して見た断面において、前記短繊維の先端側から基端側に向かうに従って、前記短繊維が空間に対して占める密度が高くなる転がり軸受。
【請求項２】
請求項１に記載の転がり軸受において、前記植毛部は、前記内輪の外周面および前記外輪の内周面のいずれか一方または両方に、前記複数の短繊維が環状に並ぶ転がり軸受。
【請求項３】
内輪、外輪、およびこれら内外輪の軌道面間に介在され保持器を介して保持される複数の転動体を有する転がり軸受において、
前記保持器における、摺動面以外の表面部分に、複数の短繊維が起立状態で面状に分布して並ぶ植毛部が設けられ、この植毛部は、前記転がり軸受を軸受軸心を含む平面で切断して見た断面において、前記短繊維の先端側から基端側に向かうに従って、前記短繊維が空間に対して占める密度が高くなる転がり軸受。
【請求項４】
請求項３に記載の転がり軸受において、前記植毛部は、前記保持器の外周面および内周面のいずれか一方または両方に、前記複数の短繊維が環状に並ぶ転がり軸受。
【請求項５】
請求項１ないし請求項４のいずれか１項に記載の転がり軸受において、前記植毛部は、長さの異なる複数種類の短繊維が起立状態で面状に分布して並ぶことで、前記短繊維の先端側から基端側に向かうに従って、前記短繊維が空間に対して占める密度が高くなる転がり軸受。
【請求項６】
請求項１ないし請求項４のいずれか１項に記載の転がり軸受において、前記植毛部は、長手方向の一端部と他端部とで体積が互いに異なる短繊維を有する転がり軸受。
【請求項７】
請求項１ないし請求項６のいずれか１項に記載の転がり軸受において、前記植毛部は、隣接する前記短繊維が互いに交差するように設けられる転がり軸受。
【発明の詳細な説明】
【技術分野】
【０００１】
この発明は、転がり軸受に関し、潤滑剤を保持し易い軸受構造に関する。
【背景技術】
【０００２】
転がり軸受において、潤滑特性の向上を図る技術が提案されている。
１．軌道輪の軌道面、転動体の転動面に潤滑被膜を形成する（特許文献１）。
２．封入されるグリースの改良（特許文献２）。
３．波形保持器において、多角形状のポケット部を形成する（特許文献３）。
【先行技術文献】
【特許文献】
【０００３】
【特許文献１】特許第５０４５８０６号公報
【特許文献２】特許第３３３０７５５号公報
【特許文献３】特開２００７−２９２１９５号公報
【特許文献４】特開２０１５−１９４２５６号公報
【発明の概要】
【発明が解決しようとする課題】
【０００４】
特許文献１では、軌道輪の軌道面等に高い精度で潤滑被膜を形成する必要があり、製造コストも高くなる。
特許文献２では、グリースに起因する攪拌抵抗のため、回転トルクが大きくなる。
特許文献３では、特殊形状の保持器を用いることで回転トルクの低減を図り得る。しかし、多角形状のポケット部を形成する分、製造コストの増加および軸受寿命の低下につながる。
【０００５】
このような課題に対して、本件出願人は、軸受部材の転動体との接触表面以外で潤滑剤と接触する表面に、繊維を植毛してなる植毛部が設けられた転がり軸受を提案している（特許文献４）。前記植毛部の毛に潤滑剤を保持させることで、攪拌抵抗を抑制して低トルク化とグリースの長寿命化を行っている。
しかし、軸受内部には、遠心力が発生し、毛に保持させた潤滑剤を不所望に移動させる力および、前記潤滑剤を毛に保持し難いように働く力が掛かる。このため、潤滑剤を毛に保持または保持を維持するための力があることが望ましい。
【０００６】
この発明の目的は、潤滑剤をより確実に保持させることにより、攪拌抵抗を抑制して低トルク化と潤滑剤の長寿命化を図ることができ、また製造コストを低減することができる転がり軸受を提供することである。
【課題を解決するための手段】
【０００７】
この発明における第１の発明の転がり軸受は、内輪、外輪、およびこれら内外輪の軌道面間に介在された複数の転動体を有する転がり軸受において、
前記内外輪のいずれか一方または両方における、軸受空間内の摺動面以外の表面部分に、複数の短繊維が起立状態で面状に分布して並ぶ植毛部が設けられ、この植毛部は、前記転がり軸受を軸受軸心を含む平面で切断して見た断面において、前記短繊維の先端側から基端側に向かうに従って、前記短繊維が空間に対して占める密度が高くなるものである。
【０００８】
この構成によると、軌道輪に設けられた植毛部に潤滑剤が保持される。特に、植毛部は、短繊維の先端側から基端側に向かうに従って、短繊維が空間に対して占める密度が高くなる。このため、植毛部に毛細管現象が起こり、軸受空間に遠心力が作用しても、潤滑剤を植毛部に保持し易くなる。毛細管現象により遠心力と逆ベクトルの力を発生させることで潤滑剤が飛散しになる。その結果、潤滑剤が植毛部に保持し易くなる。したがって、潤滑剤の撹拌抵抗およびせん断を抑制することができ、低トルク化と潤滑剤の長寿命化を図ることができる。このような植毛部は、例えば、特殊形状の保持器を用いる従来技術等よりも、簡単に構成することができ、製造コストの低減を図ることができる。
【０００９】
前記植毛部は、前記内輪の外周面および前記外輪の内周面のいずれか一方または両方に、前記複数の短繊維が環状に並ぶものであっても良い。この場合、既存の軌道輪に対して、複数の短繊維を後加工するだけで足り、例えば、特殊形状の保持器を用いる従来技術等よりも、製造コストの低減を確実に図ることができる。
【００１０】
この発明における第２の発明の転がり軸受は、内輪、外輪、およびこれら内外輪の軌道面間に介在され保持器を介して保持される複数の転動体を有する転がり軸受において、
前記保持器における、摺動面以外の表面部分に、複数の短繊維が起立状態で面状に分布して並ぶ植毛部が設けられ、この植毛部は、前記転がり軸受を軸受軸心を含む平面で切断して見た断面において、前記短繊維の先端側から基端側に向かうに従って、前記短繊維が空間に対して占める密度が高くなるものである。
【００１１】
この構成によると、保持器に設けられた植毛部に潤滑剤が保持される。特に、植毛部は、短繊維の先端側から基端側に向かうに従って、短繊維が空間に対して占める密度が高くなる。このため、植毛部に毛細管現象が起こり、軸受空間に遠心力が作用しても、潤滑剤を植毛部に保持し易くなる。したがって、潤滑剤の撹拌抵抗およびせん断を抑制することができ、低トルク化と潤滑剤の長寿命化を図ることができる。このような植毛部は、例えば、特殊形状の保持器を用いる従来技術等よりも、簡単に構成することができ、製造コストの低減を図ることができる。
【００１２】
前記植毛部は、前記保持器の外周面および内周面のいずれか一方または両方に、前記複数の短繊維が環状に並ぶものであっても良い。この場合、既存の保持器に対して、複数の短繊維を後加工等するだけで足り、例えば、特殊形状の保持器を用いる従来技術等よりも、製造コストの低減を確実に図ることができる。
【００１３】
前記植毛部は、長さの異なる複数種類の短繊維が起立状態で面状に分布して並ぶことで、前記短繊維の先端側から基端側に向かうに従って、前記短繊維が空間に対して占める密度が高くなるものであっても良い。この場合、長さの異なる複数種類の短繊維を準備しておき、これら短繊維を起立状態で面状に分布させることで、植毛部を容易に設けることができる。
【００１４】
前記植毛部は、長手方向の一端部と他端部とで体積が互いに異なる短繊維を有するものであっても良い。この場合、複数の短繊維を共通化できるため、種類の異なる短繊維を準備する必要がなく、製造コストの低減をより図ることができる。
【００１５】
前記植毛部は、隣接する前記短繊維が互いに交差するように設けられるものであっても良い。この場合、例えば、静電吹付け植毛により、隣接する前記短繊維が互いに交差するように設けられる。これにより、植毛部は、短繊維の先端側から基端側に向かうに従って、短繊維が空間に対して占める密度が高くなる。隣接する短繊維が交差するので、通常、短繊維の長手方向に移動し易い毛細管現象が効力を発揮し易くなる。
【発明の効果】
【００１６】
この発明における第１の発明の転がり軸受は、内輪、外輪、およびこれら内外輪の軌道面間に介在された複数の転動体を有する転がり軸受において、前記内外輪のいずれか一方または両方における、軸受空間内の摺動面以外の表面部分に、複数の短繊維が起立状態で面状に分布して並ぶ植毛部が設けられ、この植毛部は、前記転がり軸受を軸受軸心を含む平面で切断して見た断面において、前記短繊維の先端側から基端側に向かうに従って、前記短繊維が空間に対して占める密度が高くなる。このため、潤滑剤をより確実に保持させることにより、攪拌抵抗を抑制して低トルク化と潤滑剤の長寿命化を図ることができ、また製造コストを低減することができる。
【００１７】
この発明における第２の発明の転がり軸受は、内輪、外輪、およびこれら内外輪の軌道面間に介在され保持器を介して保持される複数の転動体を有する転がり軸受において、前記保持器における、摺動面以外の表面部分に、複数の短繊維が起立状態で面状に分布して並ぶ植毛部が設けられ、この植毛部は、前記転がり軸受を軸受軸心を含む平面で切断して見た断面において、前記短繊維の先端側から基端側に向かうに従って、前記短繊維が空間に対して占める密度が高くなる。このため、潤滑剤をより確実に保持させることにより、攪拌抵抗を抑制して低トルク化と潤滑剤の長寿命化を図ることができ、また製造コストを低減することができる。
【図面の簡単な説明】
【００１８】
【図１】この発明の実施形態に係る転がり軸受の断面図である。
【図２】同転がり軸受の植毛部の拡大断面図である。
【図３】同転がり軸受の内輪の外周面を外径側から見た一部破断した平面図である。
【図４】同転がり軸受の植毛対象物に静電植毛加工を施す原理を概略示す図である。
【図５】この発明の他の実施形態に係る転がり軸受の断面図である。
【図６】同転がり軸受の植毛部の拡大断面図である。
【図７】同転がり軸受の保持器の一部破断した平面図である。
【図８】この発明のさらに他の実施形態に係る転がり軸受の植毛部の拡大断面図である。
【図９】この発明のさらに他の実施形態に係る転がり軸受の植毛部の拡大断面図である。
【図１０】この発明のさらに他の実施形態に係る転がり軸受の断面図である。
【図１１】この発明のさらに他の実施形態に係る転がり軸受の断面図である。
【発明を実施するための形態】
【００１９】
この発明の実施形態に係る転がり軸受を図１ないし図４と共に説明する。
図１は、この転がり軸受を軸受軸心Ｌ１を含む平面で切断して見た断面図である。同図１に示すように、この転がり軸受は、内輪１、外輪２、転動体３、保持器４、およびシール部材５を有する。この例の転がり軸受は、転動体３を玉とした深溝玉軸受である。内外輪１，２の軌道面１ａ，２ａ間に複数の転動体３が介在され、これら転動体３は保持器４により保持されている。内外輪１，２および転動体３は、例えば、ＳＵＪ２等の高炭素クロム軸受鋼や、マルテンサイト系のステンレス鋼等からなる。ただし、これらの鋼に限定されるものではない。
【００２０】
内外輪１，２間に形成される環状の軸受空間の両端をそれぞれシール部材５，５で密封している。この転がり軸受の軸受空間Ｓ１内には、潤滑剤としてのグリースが初期封入される。
グリースは、通常、転がり軸受に用いられるグリースであれば制限なく用いることができる。グリースを構成する基油としては、例えば、パラフィン系鉱油、ナフテン系鉱油等の鉱油、ポリブテン油、ポリ−α−オレフィン油、アルキルベンゼン油、アルキルナフタレン油等の炭化水素系合成油、または、天然油脂やポリオールエステル油、りん酸エステル油、ジエステル油、ポリグリコール油、シリコーン油、ポリフェニルエーテル油、アルキルジフェニルエーテル油、フッ素化油等の非炭化水素系合成油等が挙げられる。これらの潤滑油は、単独で用いられてもよく、２種以上が併用されてもよい。
【００２１】
グリースを構成する増ちょう剤としては、例えば、アルミニウム石けん、リチウム石けん、ナトリウム石けん、複合リチウム石けん、複合カルシウム石けん、複合アルミニウム石けん等の金属石けん系増ちょう剤、ジウレア化合物、ポリウレア化合物等のウレア系化合物、ＰＴＦＥ樹脂等のフッ素樹脂粉末が挙げられる。これらの増ちょう剤は、単独で用いられてもよく、２種以上が併用されてもよい。
【００２２】
また、潤滑剤には、必要に応じて公知の添加剤を添加できる。添加剤としては、例えば、有機亜鉛化合物、有機モリブデン化合物等の極圧剤、アミン系、フェノール系、イオウ系化合物等の酸化防止剤、イオウ系、リン系化合物等の摩耗抑制剤、多価アルコールエステル等の防錆剤、ポリメタクリレート、ポリスチレン等の粘度指数向上剤、二硫化モリブデン、グラファイト等の固体潤滑剤、エステル、アルコール等の油性剤等が挙げられる。
【００２３】
保持器４は、円周方向に沿って所定間隔で配設された半球状膨出部を有する二枚の環状保持板が軸方向に組み合わされたいわゆる波形保持器である。各環状保持板は、円周方向に沿って配設される半球状膨出部と、円周方向に隣合う半球状膨出部を繋ぐ平坦部とを有する。これら環状保持板が組み合わされた状態で、平坦部同士が重ね合わされ、これら平坦部がリベットまたは係合爪等を介して連結される。また各半球状膨出部が対向して、リング状のポケットが形成される。各環状保持板は、例えば、冷間圧延鋼の帯鋼のプレス加工品である。
【００２４】
外輪２の内周面には、シール部材５を嵌合固定するシール取付溝２ｂが形成されている。内輪１の外周面には、シール溝１ｂが形成されている。このシール溝１ｂの内面に、シール部材５の内周部分にあるシールリップ部５ａがラジアル方向に接触する。すなわちこのシール部材５は、シールリップ部５ａが内輪１のシール溝１ｂに接する接触シールである。
シール部材５は、環状の芯金６と、この芯金６に一体に固着される弾性部材７とを有する。シール部材５の全体は、例えば、ゴム材を加硫成型して形成され、この加硫成型時に芯金６が弾性部材７に接触される。
【００２５】
植毛部等について説明する。
図２は、この転がり軸受の植毛部８の拡大断面図であり、図１の一部を拡大した図である。図３は、内輪１の外周面を外径側から見た一部破断した平面図である。図２および図３に示すように、内輪１の外周面および外輪２の内周面に、複数の短繊維９が環状に並ぶ植毛部８が設けられている。この植毛部８は、内外輪１，２の軸受空間内における摺動面以外の表面部分である、内輪１の外周面および外輪２の内周面に、複数の短繊維９が起立状態で面状に分布して並ぶ。
【００２６】
植毛部８は、例えば、静電植毛（Electrostatic flocking）を用いて、内輪１の外周面および外輪２の内周面に、複数の短繊維９を植毛し得る。前記静電植毛とは、植毛対象物に接着剤１０を塗布し、高電圧電極により静電界を作り、その静電吸引力で短繊維９を接着剤１０に立毛させる技術である。この立毛された起立状態において、固定されている接着剤１０側が基端側になり、基端側の反対側の非固定側を先端側とする。
【００２７】
図４は、転がり軸受の植毛対象物に静電植毛加工を施す原理を概略示す図である。同図４に示すように、ケーシング１１内の底面に電極板１２が設けられ、ケーシング１１内における上部に植毛対象物Ｗが支持可能である。植毛対象物Ｗと電極板１２に高電圧を印加可能に構成される。付着させたい短繊維９を電極板１２上に置き、植毛対象物Ｗと電極板１２に印加すると、高電圧により上下間に電界が発生し、短繊維９に分極が起こる。
【００２８】
その結果、短繊維９のマイナス電荷が植毛対象物Ｗに引き付けられ接着剤層に付着する。その後、接着剤層を乾燥する乾燥工程および仕上げ工程等を行う。植毛技術の特長は、植毛対象物Ｗが複雑な形状でも容易に且つ均一に加工できること、金属・プラスチック・紙等の植毛対象物Ｗの材質を選ばないことが挙げられる。この静電植毛の場合、内輪１の外周面および外輪２の内周面のような曲面部においても、多量の短繊維９を短時間で密に各面に垂直に植毛できることから、静電植毛を採用することが好ましい。
【００２９】
短繊維９としては、例えば、
（１）ポリエチレン、ポリプロピレンなどのポリオレフィン樹脂、ナイロンなどのポリアミド樹脂、芳香族ポリアミド樹脂、ポリエチレンテレフタレート、ポリエチレンナフタレート、ポリエチレンサクシネート、ポリブチレンテフタレート等のポリエステル樹脂、アクリル樹脂、塩化ビニル、ビニロン等の合成樹脂繊維、
（２）カーボン繊維、グラスファイバー等の無機繊維、
（３）レーヨン、アセテートなどの再生繊維や、綿、絹、麻、羊毛等の天然繊維が挙げられる。
【００３０】
これらは単独で用いられてもよく、２種以上が併用されてもよい。合成樹脂繊維は、油による膨潤や溶解等が生じにくく化学的に安定であり、均質な繊維を多量に生産することができ、安価に入手することができるため、上記（１）〜（３）の中でも合成樹脂繊維を用いることが好ましい。
【００３１】
接着剤１０としては、例えば、ウレタン樹脂、エポキシ樹脂、アクリル樹脂、酢酸ビニル樹脂、ポリイミド樹脂、シリコーン樹脂等を主成分とする接着剤が挙げられる。例えば、ウレタン樹脂溶剤系接着剤、エポキシ樹脂溶剤系接着剤、酢酸ビニル樹脂溶剤系接着剤、アクリル樹脂系エマルジョン接着剤、アクリル酸エステル−酢酸ビニル共重合体系エマルジョン接着剤、酢酸ビニル系エマルジョン接着剤、ウレタン樹脂系エマルジョン接着剤、エポキシ樹脂系エマルジョン接着剤、ポリエステル系エマルジョン接着剤、エチレン−酢酸ビニル共重合体系接着剤等が挙げられる。これらは単独で用いられてもよく、２種以上が併用されてもよい。
【００３２】
図１および図２に示すように、この植毛部８は、この転がり軸受を軸受軸心Ｌ１を含む平面で切断して見た断面において、短繊維９の先端側から基端側に向かうに従って、短繊維９が空間に対して占める密度が高くなる。具体的にこの例では、植毛部８は、長さの異なる複数種類の短繊維９が起立状態で面状に分布して並ぶことで、短繊維９の先端側から基端側に向かうに従って、短繊維９が空間に対して占める密度が高くなる。
【００３３】
短繊維９として、例えば、長さ０．５ｍｍ〜２．０ｍｍ、太さ０．５デシテックス〜５０デシテックスの長さおよび太さの異なる複数種類のものが適用される。この例では、短尺（長さが最小）で且つ大径の第１の短繊維９ａ、長尺（長さが最大）で且つ小径の第２の短繊維９ｂ、および中尺（短尺と長尺との中間長さ）で且つ中径の第３の短繊維９ｃが採用されている。
【００３４】
図２および図３に示すように、これら第１，第２，および第３の短繊維９ａ，９ｂ，９ｃが、軸方向および円周方向に不規則に並ぶ結果、植毛部全体として、短繊維９の先端側から基端側に向かうに従って、短繊維９が空間に対して占める密度が高くなる。
また植毛部８は、単位面積あたりに短繊維９が占める割合が、例えば１０％〜３０％となるように設けられている。但し、この割合に限定されるものではない。
【００３５】
以上説明した転がり軸受によれば、内外輪１，２に設けられた植毛部８にグリースが保持される。特に、植毛部８は、短繊維９の先端側から基端側に向かうに従って、短繊維９が空間に対して占める密度が高くなる。このため、植毛部８に毛細管現象が起こり、軸受空間Ｓ１に遠心力が作用しても、グリースを植毛部８に保持し易くなる。したがって、グリースの撹拌抵抗およびせん断を抑制することができ、低トルク化とグリースの長寿命化を図ることができる。このような植毛部８は、例えば、特殊形状の保持器を用いる従来術等よりも、簡単に構成することができ、製造コストの低減を図ることができる。
【００３６】
植毛部８は、内輪１の外周面および外輪２の内周面に、複数の短繊維９が環状に並ぶ。このため、既存の内外輪１，２に対して、複数の短繊維８を後加工等するだけで足り、例えば、特殊形状の保持器を用いる従来技術等よりも、製造コストの低減を確実に図ることができる。
植毛部８は、長さの異なる複数種類の短繊維９が起立状態で面状に分布して並ぶことで、短繊維９の先端側から基端側に向かうに従って、短繊維９が空間に対して占める密度が高くなる。この場合、長さの異なる複数種類の短繊維９を準備しておき、これら短繊維９を起立状態で面状に分布させることで、植毛部８を容易に設けることができる。
【００３７】
他の実施形態について説明する。
以下の説明においては、各実施の形態で先行して説明している事項に対応している部分には同一の参照符号を付し、重複する説明を略する。構成の一部のみを説明している場合、構成の他の部分は、特に記載のない限り先行して説明している形態と同様とする。同一の構成から同一の作用効果を奏する。実施の各形態で具体的に説明している部分の組合せばかりではなく、特に組合せに支障が生じなければ、実施の形態同士を部分的に組合せることも可能である。
【００３８】
図５〜図７に示すように、植毛部８は、保持器４の外周面および内周面に、複数の短繊維９が環状に並ぶように設けられても良い。この例では、保持器４における環状保持板１３の半球状膨出部１３ａおよび平坦部１３ｂの外周縁部に、複数の短繊維９が起立状態で面状に分布して並ぶ。これと共に、前記環状保持板１３の半球状膨出部１３ａおよび平坦部１３ｂの内周縁部に、複数の短繊維９が起立状態で面状に分布して並ぶ。
【００３９】
この例では、保持器４の外周面および内周面に、接着剤１０が塗布された後、前述したように静電植毛により、複数の短繊維９が接着剤層に付着される。その後、前記乾燥工程および仕上げ工程等が行われる。
このような保持器４に設けられる植毛部８は、既存の保持器に対して、複数の短繊維を後加工するだけで足り、例えば、特殊形状の保持器を用いる従来技術等よりも、簡単に構成することができ、製造コストの低減を図ることができる。その他前述の実施形態と同様の作用効果を奏する。
【００４０】
図８に示すように、植毛部８Ａは、長手方向の一端部と他端部とで長手方向の単位長さ当たりの体積が互いに異なる短繊維９Ａを有するものであっても良い。具体的に、この短繊維９Ａは、先尖り状の円錐形状であって、先端に向かうに従って、長手方向に垂直な断面が小さくなる形状となっている。内外輪１，２または保持器４における、軸受空間内における摺動面以外の表面部分に、複数の前記短繊維９Ａが起立状態に面状に分布して並ぶ。
この場合、複数の短繊維９Ａを共通化できるため、種類の異なる短繊維を準備する必要がなく、製造コストの低減をより図ることができる。
【００４１】
図９に示すように、植毛部８Ｂは、隣接する短繊維９Ｂが互いに交差するように設けられるものであっても良い。この例では、例えば、静電吹付け植毛（Fiber coat）により、隣接する短繊維９Ｂが長手方向中間付近で互いに交差するように設けられる。前記静電吹付け植毛は、前述の静電植毛と略同じ原理であるが、短繊維９Ｂをエアーで接着剤層に吹付けることで、短繊維９Ｂが基材表面１４に対して一定の角度αで傾き固定される特徴がある。
【００４２】
短繊維９Ｂとしては、例えば、長さおよび太さが一種類で円柱形状の短繊維９Ｂが用いられる。このような一種類の短繊維９Ｂを用いる場合であっても、隣接する短繊維９Ｂが互いに交差するように設けられることで、植毛部８Ｂは、短繊維９Ｂの先端側から基端側に向かうに従って、短繊維９Ｂが空間に対して占める密度が高くなる。隣接する短繊維９Ｂが交差するので、通常、短繊維９Ｂの長手方向に移動し易い毛細管現象が効力を発揮し易くなる。
【００４３】
図１０に示すように、冠形の保持器４Ａを備えた転がり軸受において、植毛部８（８Ａ，８Ｂ）は、内外輪１，２または保持器４Ａにおける、軸受空間Ｓ１内における摺動面以外の表面部分に、複数の短繊維が起立状態に面状に分布して並ぶようにしても良い。この植毛部８（８Ａ，８Ｂ）は、短繊維の先端側から基端側に向かうに従って、短繊維が空間に対して占める密度が高くなる。
図１１に示すように、保持器無しの総玉軸受において、内外輪１，２のいずれか一方または両方に、短繊維の先端側から基端側に向かうに従って、短繊維が空間に対して占める密度が高くなる植毛部８（８Ａ，８Ｂ）を設けても良い。
【００４４】
各実施形態では、軸受の両端にシール部材を設けたが、軸受の片側端のみにシール部材を設けても良い。
シール部材は、非接触シールとしても良いし、金属製の鋼板のみから成る非接触シールとしても良い。
また転がり軸受において、シール部材が無いいわゆるオープンタイプとしても良い。
【００４５】
潤滑剤として、グリースに代えて潤滑油を用いても良い。
転がり軸受は、深溝玉軸受に限定されるものではなく、例えば、アンギュラ玉軸受、円筒ころ軸受、円すいころ軸受、自動調心玉軸受、自動調心ころ軸受、４点接触玉軸受、クロスローラー軸受、各種スラスト軸受等にも適用可能である。
【００４６】
以上、実施形態に基づいてこの発明を実施するための形態を説明したが、今回開示された実施の形態はすべての点で例示であって制限的なものではない。この発明の範囲は上記した説明ではなくて特許請求の範囲によって示され、特許請求の範囲と均等の意味および範囲内でのすべての変更が含まれることが意図される。
【符号の説明】
【００４７】
１…内輪
１ａ…軌道面
２…外輪
２ａ…軌道面
３…転動体
４，４Ａ…保持器
８，８Ａ，８Ｂ…植毛部
９，９Ａ，９Ｂ…短繊維
【図１】
2018021632.tif 000003
【図２】
2018021632.tif 000004
【図３】
2018021632.tif 000005
【図４】
2018021632.tif 000006
【図５】
2018021632.tif 000007
【図６】
2018021632.tif 000008
【図７】
2018021632.tif 000009
【図８】
2018021632.tif 000010
【図９】
2018021632.tif 000011
【図１０】
2018021632.tif 000012
【図１１】
2018021632.tif 000013